(57)【特許請求の範囲】
【請求項１】
遊技機島の長手方向である紙幣の搬送方向に架設されたフレームの側部に搬送ユニットを取り付けて前記フレームと前記搬送ユニットとの間に紙幣の搬送路を形成し、該搬送路に沿って紙幣を搬送する紙幣搬送装置において、
前記搬送ユニットはその高さ方向に沿って上下に配置されかつ互いが上下に離れる方向に付勢された対を成す係止爪を有する係止部によって前記フレームに係止され、
前記対を成す係止爪を互いの中央に向けて操作することに応じて前記係止爪が前記フレームから離脱するようになされており、
前記係止部は、所定の固定手段によって前記搬送ユニットに着脱可能に取り付けられた部品である
ことを特徴とする紙幣搬送装置。
【請求項２】
前記係止部は、搬送ユニットの高さ方向に沿って上下に分けて配置された上側係止部と下側係止部を有し、
上側係止部および下側係止部はそれぞれ、前記固定手段によって前記搬送ユニットに固定される基端部と、上側係止部においては前記基端部の上端から、下側係止部においては前記基端部の下端から、前記フレームと反対方向へ延びた後に屈曲して前記フレーム方向へ前記基端部を超えて突出する弾性腕部と、この弾性腕部の先端部に設けられた前記係止爪と、前記弾性腕部の前記屈曲部と前記係止爪との間において前記弾性腕部の両側部の所定箇所から前記基端部を避けるように二手に分かれて前記中央に向けて前記基端部を超える位置まで延設された一対の支持腕と、前記基端部を超えた箇所で前記一対の支持腕を連結する操作子と、を弾性部材で一体に形成して構成される
ことを特徴とする請求項１に記載の紙幣搬送装置。
【請求項３】
前記搬送ユニットは、基部と本体部とがヒンジで接続されて構成されており、
前記基部は前記フレームに取り付けられ、
前記本体部に前記係止部は設けられており、
前記基部を前記フレームに固定した状態で、前記本体部を開閉し得る
ことを特徴とする請求項１または２に記載の紙幣搬送装置。
【発明の詳細な説明】
【技術分野】
【０００１】
本発明は、紙幣を搬送する紙幣搬送装置に係わり、特に、複数の遊技機を並設して収容する遊技機島の長手方向に紙幣を搬送する紙幣搬送装置に関する。
【背景技術】
【０００２】
パチンコ機などの遊技機が並設収容された遊技機島では、一般に、各遊技機の近くに遊技媒体貸機が設置されており、遊技媒体貸機に投入された紙幣は、遊技機島の長手方向に沿って設置された搬送路を有する紙幣搬送装置によって島端の紙幣収納装置へ搬送されて収納されるようになっている。
【０００３】
紙幣搬送装置は、搬送路のカバーを開いて、紙幣詰まりなどの障害を取り除いたり、保守点検を行ったりできるように構成される。たとえば、遊技機島の長手方向に架設された支持ビームの上面に断面上向きコの字状の凹部を設けると共に該凹部の中央に仕切り壁を立設し、この仕切り壁を挟んで２つの側面カバーを凹部にそれらの下端を載置して対向配置し、さらにこの両側面カバーの上縁にまたがって断面Ｍ字状の上カバーを載置することで、側面カバーと仕切り壁との間に紙幣の通路を備えたユニットを構成し、このユニットを連結させて搬送路を形成する。そして、ユニットの連結部分で上カバーの上に連結中継部材を載置し、下端を支持ビームに係止させた帯状のフックを左右両側に設け、これらフックの上端をクリップで連結中継部材に係止することで、上カバーと左右の側面カバーとを支持ビームに固定するようにした紙幣搬送装置がある（たとえば、特許文献１参照。）。この装置ではクリップを抜いて連結中継部材およびフックを外すと上カバーを開くことができる。
【０００４】
また、遊技機島の長手方向に架設された上下２段の搬送フレームの間に掛け渡すようにして搬送フレームの側部に側面カバーを取り付けて搬送路を形成した紙幣搬送装置においては、側面カバーの高さ方向に沿って上下に配置したクリップで側面カバーを搬送フレームに取り付ける構成のものがある。
【０００５】
【特許文献１】特開２００６−２０６３１４号公報
【発明の開示】
【発明が解決しようとする課題】
【０００６】
上述の装置で使用されるクリップは、先端が小径に戻るように弾性を備えたものであり、先端を小径の穴部に貫通させた後、穴部の向こう側で大径に拡張させることで抜け止め効果を得ている。このようなクリップを外すためには、クリップの頭部を強く引く必要があり、扱い難かった。また、繰り返し抜き差しすると破損する場合もある。さらに上下に配置したクリップで側面カバーを搬送フレームに取り付ける構成の紙幣搬送装置においては、側面カバーを開くには上下の各クリップの頭部を１つずつ引き上げなければならず、作業が面倒で紙幣搬送路での紙幣詰まりに対して迅速な対応ができないという問題があった。
【０００７】
本発明は、上記の問題を解決しようとするものであり、簡単な操作で搬送路のカバーを素早く開け閉めすることのできる紙幣搬送装置を提供することを目的とするものである。
【課題を解決するための手段】
【０００８】
かかる目的を達成するための本発明の要旨とするところは、次の各項の発明に存する。
【０００９】
［１］遊技機島の長手方向である紙幣の搬送方向に架設されたフレーム（２０ａ、２０ｂ）の側部に搬送ユニット（３０）を取り付けて前記フレーム（２０ａ、２０ｂ）と前記搬送ユニット（３０）との間に紙幣の搬送路を形成し、該搬送路に沿って紙幣を搬送する紙幣搬送装置（１０）において、
前記搬送ユニット（３０）はその高さ方向に沿って上下に配置されかつ互いが上下に離れる方向に付勢された対を成す係止爪（５１ａ、５１ｂ）を有する係止部（５０ａ、５０ｂ）によって前記フレーム（２０ａ、２０ｂ）に係止され、
前記対を成す係止爪（５１ａ、５１ｂ）を互いの中央に向けて操作することに応じて前記係止爪（５１ａ、５１ｂ）が前記フレーム（２０ａ、２０ｂ）から離脱するようになされており、
前記係止部（５０ａ、５０ｂ）は、所定の固定手段（５６）によって前記搬送ユニット（３０）に着脱可能に取り付けられた部品である
ことを特徴とする紙幣搬送装置。
【００１０】
上記発明では、搬送ユニット（３０）は高さ方向に沿って上下に配置された対を成す係止爪（５１ａ、５１ｂ）によって強固にフレーム（２０ａ、２０ｂ）に係止され、搬送中の安定性を維持することができる。また、搬送ユニット（３０）をフレーム（２０ａ、２０ｂ）から離脱させる場合には、対を成す上下の係止爪（５１ａ、５１ｂ）を互いの中央に向けて操作するだけでよくなるので、側面カバーとなっている搬送ユニット（３０）の開放作業が容易になり、紙幣搬送路での紙幣詰まりに対して迅速な対応が可能になる。
【００１５】
［２］前記係止部（５０ａ、５０ｂ）は、搬送ユニット（３０）の高さ方向に沿って上下に分けて配置された上側係止部（５０ａ）と下側係止部（５０ｂ）を有し、
上側係止部（５０ａ）および下側係止部（５０ｂ）はそれぞれ、前記固定手段（５６）によって前記搬送ユニット（３０）に固定される基端部（５２）と、上側係止部（５０ａ）においては前記基端部（５２）の上端から、下側係止部（５０ｂ）においては前記基端部（５２）の下端から、前記フレーム（２０ａ、２０ｂ）と反対方向へ延びた後に屈曲して前記フレーム（２０ａ、２０ｂ）方向へ前記基端部（５２）を超えて突出する弾性腕部（５３）と、この弾性腕部（５３）の先端部に設けられた前記係止爪（５１）と、前記弾性腕部（５３）の前記屈曲部（５７）と前記係止爪（５１）との間において前記弾性腕部（５３）の両側部の所定箇所から前記基端部（５２）を避けるように二手に分かれて前記中央に向けて前記基端部（５２）を超える位置まで延設された一対の支持腕と、前記基端部（５２）を超えた箇所で前記一対の支持腕を連結する前記操作子（５５）と、を弾性部材で一体に形成して構成される
ことを特徴とする［１］に記載の紙幣搬送装置（１０）。
【００１６】
上記発明では、対を成す係止爪（５１ａ、５１ｂ）を互いが上下に離れる方向に付勢する力は屈曲部（５７）から発生される。屈曲部（５７）から係止爪（５１）に至る部分は屈曲部（５７）の弾性によって上下に変位可能であり、該部分から操作子（５５）は延設されているので、操作子（５５）を操作することで係止爪（５１）が上下に変位してフレームから離脱する。
また、上側の係止爪（５１ａ）から下方に延設された操作子（５５ａ）と下側の係止爪（５１ｂ）から上方に向けて延設された操作子（５５ｂ）の間隔は上下の係止爪（５１ａ、５１ｂ）の間隔より狭くなるので、双方の操作子（５５ａ、５５ｂ）を片手で一度に中央に向けて操作することが容易になる。また、操作子（５５ａ、５５ｂ）は係止するための機能と分離されるので、形状の自由度が増し、操作し易い形状にすることができる。
【００１９】
［３］前記搬送ユニット（３０）は、基部（３３）と本体部（３１）とがヒンジ（３２）で接続されて構成されており、
前記基部（３３）は前記フレーム（２０ａ、２０ｂ）に取り付けられ、
前記本体部（３１）に前記係止部（５０ａ、５０ｂ）は設けられており、
前記基部（３３）を前記フレーム（２０ａ、２０ｂ）に固定した状態で、前記本体部（３１）を開閉し得る
ことを特徴とする［１］または［２］に記載の紙幣搬送装置（１０）。
【００２０】
上記発明では、フレーム（２０ａ、２０ｂ）に固定された基部（３３）にヒンジ（３２）で接続されている本体部（３１）を係止爪（５１）の操作によって開くことで紙幣搬送路での紙幣詰まりの除去作業ができるので、搬送ユニット（３０）をフレーム（２０ａ、２０ｂ）から完全に離脱させる場合と比較して迅速な対応が可能になる。
【発明の効果】
【００２１】
本発明に係る紙幣搬送装置によれば、搬送中の安定性を維持しつつ、簡単な操作で搬送路のカバーを素早く開閉することができ、紙幣詰まりなどの障害に対して迅速な対応が可能になる。
【発明を実施するための最良の形態】
【００２２】
以下、図面に基づき本発明の各種実施の形態を説明する。
【００２３】
図１は、本発明の第１の実施の形態に係る紙幣搬送装置１０の設置された遊技機島２の内部構造を示す正面図であり、図２は、遊技機島２に設置された紙幣搬送装置１０およびその関連機器の配置状態を示す上面図であり、図３は、遊技機島２の内部構造を図１のＡ−Ａ´断面にて示す側断面図である。
【００２４】
遊技機島２は、遊技ホールのフロア上に構築したフレームにパチンコ機などの遊技機３と遊技媒体貸機４とを一組に並設したものを多数背中合わせにして表裏面に並設収容している。
【００２５】
遊技媒体貸機４は、遊技機３で使用されるパチンコ球などの遊技媒体を、正面上部の紙幣投入口４ａから投入される紙幣や硬貨投入口４ｂから投入される硬貨の金額に応じて遊技者に貸し出す装置である。図２、図３に示すように、背中合わせにして設置された遊技媒体貸機４の背面間の上部には、各遊技媒体貸機４の背面から排出された紙幣を遊技機島２の側面上部に配設された紙幣収納装置５まで搬送する紙幣搬送装置１０が遊技機島２の長手方向に沿って延設されている。紙幣はその短辺が略垂直となる姿勢で紙幣搬送装置１０内を搬送されて紙幣収納装置５に送り込まれる。
【００２６】
遊技媒体貸機４の背面間の下部側には、各遊技媒体貸機４の背面から排出された硬貨を遊技機島２の側面下部に配設された硬貨収納装置６まで搬送する硬貨搬送装置７が遊技機島２の長手方向に沿って延設されている。
【００２７】
図４は、紙幣搬送装置１０の概略構成とその設置態様を示す模式図である。紙幣搬送装置１０は、遊技機島２の両端に分けて配置された駆動プーリ１１と従動プーリ１２との間に掛け渡された断面円形で無端の搬送ベルト１３と、駆動プーリ１１を回転駆動して搬送ベルト１３を図中の矢印Ｍ方向へ周回させる駆動部１４とを備えている。駆動部１４はモータや伝達ベルトなどで構成される。
【００２８】
搬送ベルト１３は、上下２段となるように遊技機島２の長手方向に掛け渡されており、その上側の搬送ベルト１３ａに沿って複数の搬送プーリ４１が搬送ベルト１３ａに近接させて配列されている。各搬送プーリ４１はその外周を一周する溝を有しており、搬送ベルト１３ａと各搬送プーリ４１の溝との間に、紙幣を圧接しつつ搬送する搬送路が構成されている。駆動部１４により搬送ベルト１３を駆動することで、搬送路に沿って紙幣を矢印Ｍ方向（搬送方向）へ搬送するようになっている。搬送路は、通路部ユニットＧと遊技媒体貸機４から紙幣を受け入れて合流させるための送出ユニット（不図示）を複数連結して形成される。
【００２９】
図５は、通路部ユニットＧの内部構造を図４のＢ−Ｂ´断面にて示している。通路部ユニットＧは、搬送ベルト１３ａの上側に配置される上側フレーム２０ａと、搬送ベルト１３ａの下側に配置される下側フレーム２０ｂと、これらフレーム２０ａ、２０ｂの両側部に取り付けられた搬送ユニット３０とを備えて構成される。
【００３０】
上側フレーム２０ａは、第１フレーム２１と、該第１フレーム２１の下側に接合された第２フレーム２２とを組み合わせて構成されている。第１フレーム２１は、たとえばアルミニウム合金などの軽量かつ高剛性の金属材料で形成される。第１フレーム２１は遊技機島２の長手方向に架設されている。第１フレーム２１の断面形状は、横向きＨ字形状の上辺の両端から上方に向けて延設し、その上端を内向きに折り曲げ、前記横向きＨ字形状の下辺中央から下部の開放された凸字型に突出し、さらに前記横向きＨ字形状の上辺および下辺の各端部が上下方向の中央に向かってそれぞれ僅かに突出して縁部とされた形状を成している。この上下に対向する縁部の間は、係合溝２３になっている。
【００３１】
第２フレーム２２は、たとえばアルミニウム合金などで形成される。第２フレーム２２は第１フレーム２１の下部中央の凸字型の部分に係合し、該係合部分から少し下方に延びた後、二股に分かれて平行に下方へ延び、さらにこの二股部の間に挟持されて仕切板２４が下方へ延設した構造をなしている。この仕切板２４は、たとえばアルミニウム合金や樹脂材料などで形成される。仕切板２４の下端は搬送ベルト１３ａから僅かに離れた位置に達している。なお、上側フレーム２０ａと下側フレーム２０ｂとは同一構成で共通化されており、搬送ベルト１３ａを挟んで上下逆向きに配置されている。
【００３２】
搬送ユニット３０についてはさらに他の図面を用いて説明する。図６は、連結された搬送ユニット３０の正面図である。図７は、折れ曲がった状態の搬送ユニット３０を示す斜視図である。搬送ユニット３０は、搬送方向に長い長方形の一方の短辺を波型にした板状の本体部３１と、本体部３１の波型端部にヒンジ３２を介して接続された基部３３とを備えている。基部３３のヒンジ３２側の端部は本体部３１の波型端部に嵌り合う波型を成しており、他方の端部には隣の搬送ユニット３０との連結に使用される突出部３４が設けられている。突出部３４には、搬送方向に沿った複数本のスリット３４ａが形成されている（図７参照）。
【００３３】
本体部３１の基部３３側と反対の端部には、隣の搬送ユニット３０の突出部３４と係合するための受入部３５が形成されている（図７、図１２参照）。受入部３５は本体部３１の内側面に形成された陥没部３５ａであって、搬送ユニット３０同士を連結する際に隣の搬送ユニット３０の突出部３４を受け入れて係合する形状にされている。陥没部３５ａには、陥没部３５ａに係合された突出部３４のスリット３４ａに入るように、搬送方向に沿って複数本のリブ３５ｂが形成されている。
【００３４】
本体部３１は、たとえば無色透明の樹脂材料などで形成され、基部３３は色付きの樹脂材料などで形成される。
【００３５】
図５、図６に示すように、搬送ユニット３０の本体部３１および基部３３は、上側フレーム２０ａの第１フレーム２１から下側フレーム２０ｂの第１フレーム２１に渡る高さ（Ｙ方向の長さ）を備えてこれらのフレーム２０ａ、２０ｂの側部を覆い、紙幣搬送路の外壁を成している。
【００３６】
図１７は搬送ユニット３０の裏面図であり、図１８は基部３３の側面図である。基部３３は、上下に配置されたラッチ３７の先端をフレーム２０ａおよび２０ｂの係合溝２３に係合させて取り付けられる。ラッチ３７は、図１７、１８に示すように基部３３に取り付けられて裏面側に突出される、切り込みの入ったつぼみ状の外筒と、この外筒の中を進退する操作棒とからなる。外筒をフレーム２０ａ、２０ｂの係合溝２３に貫通させた後に操作棒をカチッとなる位置まで押し込むと、外筒の先端が大径に拡張して係合溝２３の上下の縁部の裏側に引っかかって抜けなくなるものである。
【００３７】
本体部３１はヒンジ３２と反対側の端部に、搬送ユニット３０の高さ方向に沿って上下に分けて配置された一対の係止部５０（５０ａ、５０ｂ）を備えている。本体部３１の係止部５０側の端部は、係止部５０ａの係止爪５１ａを上側フレーム２０ａの係合溝２３の上縁部の裏側に係合させ、係止部５０ｂの係止爪５１ｂを下側フレーム２０ｂの係合溝２３の下縁部の裏側に係合させて、フレーム２０ａ、２０ｂの側部に係止される。係止部５０ａ、５０ｂの詳細は後述する。
【００３８】
本体部３１には、搬送プーリ４１を本体部３１の外側（表面側）から搬送ベルト１３ａの存する側である内側（裏面側）へ突出させるための穴部４２が開設されている（図５または図１２参照）。本体部３１の表面側には、この穴部４２を臨むようにして断面コの字状のブラケット４３が取り付けられている。搬送プーリ４１はブラケット４３の内側に回転軸４４を上下方向にし、かつ穴部４２を通して一部が本体部３１の裏面側へ突出するようにして取り付けられている。搬送プーリ４１は搬送ベルト１３ａに直接は接触しないが極めて近い位置まで穴部４２を通じて本体部３１の裏面側へ突出するようにされる。搬送プーリ４１はその外周を一周する溝４６を備えている（図１０参照）。
【００３９】
本体部３１の内側面（裏面）と第２フレーム２２との間の空間、および搬送ベルト１３ａと搬送プーリ４１との隙間は、紙幣の搬送路を形成している。図１３に示すように、紙幣Ｋは上下方向の中心付近が搬送ベルト１３ａと搬送プーリ４１の溝４６との間に圧接されつつ搬送される。
【００４０】
次に、係止部５０について詳細に説明する。図８は係止部５０の六面図、図９は係止部５０の斜視図、図１０は係止部５０の動作説明図、図１１は本体部３１の係止部５０側の端部を表面側から見た斜視図、図１２は本体部３１の係止部５０側の端部を裏面側から見た斜視図である。
【００４１】
係止部５０は、取り付け用の螺子穴５８を備えた矩形板状の基端部５２と、基端部５２の一端から当該基端部５２の表面が臨む方向（取り付け状態ではフレーム２０ａ、２０ｂの反対方向）へ延びた後にＵ字状に屈曲して基端部５２の裏面が臨む方向（フレーム２０ａ、２０ｂ方向）へ基端部５２を超えて突出する弾性腕部５３と、該弾性腕部５３の先端に設けられた係止爪５１と、弾性腕部５３のうち屈曲部５７と係止爪５１との間の所定箇所から基端部５２の両脇を通って基端部５２と平行に該基端部５２を超える位置まで延びる一対の支持腕５４と、この一対の支持腕５４の先端部に支持されて基端部５２の表面が臨む方向へ突出する平板状の操作子５５とを備えている。操作子５５は人間の親指や人さし指を載せることができる適宜の大きさになっている。これらを備えた係止部５０は樹脂で一体に形成されている。なお、操作子５５の指載せ面には溝などの滑り止め加工を施してもよい。
【００４２】
図５、図６、図１０、図１１、図１２に示すように上下一対の係止部５０ａ、５０ｂは、それぞれの操作子５５ａ、５５ｂを互いの中央側に向けた状態で、基端部５２の螺子穴５８に通した螺子５６によって搬送ユニット３０の本体部３１の表面に取り付けられる。なお、図１２に示すように、本体部３１には各係止部５０の係止爪５１に対応した穴部３８が開設されており、弾性腕部５３の先端の係止爪５１は、この穴部３８を通して本体部３１の裏面側に突出するようにされる。上下一対の係止部５０ａ、５０ｂの各係止爪５１ａ、５１ｂは、弾性腕部５３の屈曲部５７の弾性力によって互いが上下に離れる方向へ（上側の係止部５０ａの係止爪５１ａに上向きに、下側の係止部５０ｂの係止爪５１ｂは下向きに）付勢されている。
【００４３】
図１０に示すように上下一対の操作子５５ａ、５５ｂを片手の親指と人さし指などとで摘んで中央に寄せると（矢印Ｐ１）、支持腕５４が弾性腕部５３を撓ませて（矢印Ｐ２）、弾性腕部５３の先端の係止爪５１ａ、５１ｂを上下方向の中央に向けて変位させる（矢印Ｐ３）。これにより、係止爪５１ａ、５１ｂが上側フレーム２０ａおよび下側フレーム２０ｂの係合溝２３（図５参照）から離脱する。
【００４４】
そして、操作子５５ａ、５５ｂを摘んだまま手前に引けば、図１４に示すように、ヒンジ３２の部分で搬送ユニット３０は折れ曲がって、本体部３１を開くことができ、詰まった紙幣の除去作業を行うことができる。すなわち、搬送ユニット３０の基部３３をラッチ３７によって上側フレーム２０ａおよび下側フレーム２０ｂに固定した状態のままで、操作子５５ａ、５５ｂを中央に寄せるように摘んで手前に引くだけで、ヒンジ３２を支点にして本体部３１を開くことができる。
【００４５】
また、中央に向けて操作子５５ａ、５５ｂを摘むことなく、本体部３１を上側フレーム２０ａおよび下側フレーム２０ｂ側へ押して閉めると、上側フレーム２０ａおよび下側フレーム２０ｂの係合溝２３の縁部に係止爪５１ａ、５１ｂが当接して弾性腕部５３が撓み、係止爪５１ａ、５１ｂが係合溝２３の縁部を超えると屈曲部５７に付勢された弾性腕部５３の先端の係止爪５１ａ、５１ｂが係合溝２３の縁部の裏側に引っかかり、本体部３１は閉まった状態に保持される。これにより搬送ユニット３０は、強固に上側フレーム２０ａおよび下側フレーム２０ｂに係止されるので、搬送中に脱落するなどして、紙幣に干渉するおそれもない。
【００４６】
なお、前述したように搬送ユニット３０の連結時に、本体部３１の係止部５０側の端部の裏面にある受入部３５と隣の搬送ユニット３０の基部３３の突出部３４とは、受入部３５が突出部３４を外側から覆うようにして接合される。このため、本体部３１を閉じれば突出部３４を受入部３５が外側から覆って係合され、本体部３１を開けば自然に係合が解除されるので、突出部３４と受入部３５による連結が本体部３１の開閉に支障を与えることはない。
【００４７】
このように、対を成す上下の係止部５０ａ、５０ｂの操作子５５を互いの中央に向けて操作するだけで本体部３１を開くことができるので、搬送ユニット３０を上側フレーム２０ａおよび下側フレーム２０ｂから完全に離脱させる場合と比較して、紙幣搬送路での紙幣詰まりに対して迅速な対応が可能になる。また、上側の係止部５０ａから下方に延設された操作子５５と下側の係止部５０ｂから上方に向けて延設された操作子５５の間隔は上下の係止部５０ａ、５０ｂの弾性腕部５３同士の間隔より狭くなるので、双方の操作子５５を片手で一度に中央に向けて操作することが容易になる。また、弾性腕部５３から支持腕５４を介して操作子５５を設けているので、操作子５５の形状を定める際の自由度が増し、操作子５５を操作し易い形状にすることできる。
【００４８】
また、係止部５０は、基端部５２、弾性腕部５３、係止爪５１、支持腕５４、操作子５５の各部を一体に樹脂で形成したので、構造が簡単で製造容易になる。
【００４９】
次に、第２の実施の形態を説明する。
【００５０】
図１５は、第２の実施の形態に係る搬送ユニット３０の係止部７０側の端部を示している。係止部７０は第１の実施の形態における係止部５０に対応するものである。係止部７０以外の構成は第１の実施の形態と同様であり、その説明は省略する。係止部７０において係止部５０と同一構成部分には同一の符号を付してある。係止部７０は、係止部５０において弾性力を生み出していた屈曲部５７を除去し、弾性腕部５３を、先端に係止爪５１がある第１腕部７１と基端部５２側の第２腕部７２とに分割し、一端を第２腕部７２に支持された押しバネ７３の他端で第１腕部７１を支持した構成になっている。第１腕部７１は押しバネ７３により第２腕部７２から離れる方向へ付勢される。また、第１腕部７１の側部から支持腕５４が延設され、その先に操作子５５が設けられている。
【００５１】
上下一対の係止部７０ａ、７０ｂの各係止爪５１ａ、５１ｂは、押しバネ７３によって互いが上下に離れる方向（上側の係止部７０ａの係止爪５１ａは上向きに、下側の係止部７０ｂの係止爪５１ｂは下向きに）付勢される。上下一対の係止部７０ａ、７０ｂが有する上下一対の操作子５５ａ、５５ｂを片手の親指と人さし指などとで摘んで中央に寄せると（矢印Ｐ１）、支持腕５４を介して第１腕部７１が中央へ引き寄せられ（矢印Ｐ２）、第１腕部７１の先端の係止爪５１ａ、５１ｂは上下方向の中央に向けて変位する（矢印Ｐ３）。これにより、係止爪５１ａ、５１ｂが上側フレーム２０ａおよび下側フレーム２０ｂの係合溝２３から離脱する。
【００５２】
そして、操作子５５ａ、５５ｂを摘んだまま手前に引けば、ヒンジ３２の部分で搬送ユニット３０は折れ曲がって、本体部３１を開くことができ、詰まった紙幣の除去作業を行うことができる。
【００５３】
また、中央に向けて操作子５５ａ、５５ｂを摘むことなく、本体部３１を上側フレーム２０ａおよび下側フレーム２０ｂ側へ押して閉めると、上側フレーム２０ａおよび下側フレーム２０ｂの係合溝２３の縁部に係止爪５１ａ、５１ｂが当接して押しバネ７３が縮み、係止爪５１が係合溝２３を超えると押しバネ７３に付勢されて係止爪５１ａ、５１ｂが係合溝２３の縁部の裏側に引っかかり、本体部３１は閉まった状態に保持される。
【００５４】
このように、対を成す上下の係止部７０ａ、７０ｂの操作子５５ａ、５５ｂを互いの中央に向けて操作するだけで本体部３１を開くことができるので、本体部３１の開放作業が容易になり、紙幣搬送路での紙幣詰まりに対して迅速な対応が可能になる。
【００５５】
図１６は、第３の実施の形態に係る係止部８０を示している。係止部８０以外の構成は第１、第２の実施の形態と同様であり、その説明は省略する。係止部５０と同一部分には同一の符号を付してある。第２の実施の形態の係止部７０では押しバネ７３によって係止爪５１のある第１腕部７１を本体部３１の高さ方向の中央から離れる方向へ押圧するようにしたが、係止部８０では引きバネ８１により、係止爪５１を本体部３１の高さ方向の中央から離れる方向へ引き寄せるように付勢している。
【００５６】
係止部８０は、本体部３１の表面に螺子５６で固定される基端部５２（図１６には不図示）と、この基端部５２から本体部３１の高さ方向の外側（反中央側）に向けて延設されたＬ字状のバネ支持腕８２を備え、該バネ支持腕８２の先端の水平となった部分に引きバネ８１の一端が係止されている。係止爪５１は、バネ支持腕８２より幅広であってバネ支持腕８２を貫通させる不図示の穴を備えた腕部８３の先端に設けられている。腕部８３は引きバネ８１の他端が係止されて反中央側へ付勢されている。腕部８３の側部から支持腕５４が延設されその先に操作子５５が設けられている。
【００５７】
上下一対の係止部８０ａ、８０ｂの各係止爪５１ａ、５１ｂは、引きバネ８１によって互いが上下に離れる方向へ（上側の係止部８０ａの係止爪５１ａは上向きに、下側の係止部８０ｂの係止爪５１ｂは下向きに）付勢されている。上下一対の係止部８０ａ、８０ｂの上下一対の操作子５５ａ、５５ｂを片手の親指と人さし指などとで摘んで中央に寄せると（矢印Ｐ１）、支持腕５４を介して腕部８３が中央へ引き寄せられ（矢印Ｐ２）、腕部８３の先端の係止爪５１ａ、５１ｂも上下方向の中央に向けて変位する（矢印Ｐ３）。これにより、係止爪５１ａ、５１ｂが上側フレーム２０ａおよび下側フレーム２０ｂの係合溝２３から離脱する。
【００５８】
そして、操作子５５ａ、５５ｂを摘んだまま手前に引けば、ヒンジ３２の部分で搬送ユニット３０は折れ曲がって、本体部３１を開くことができ、詰まった紙幣の除去作業を行うことができる。
【００５９】
また、中央に向けて操作子５５ａ、５５ｂを摘むことなく、本体部３１を上側フレーム２０ａおよび下側フレーム２０ｂ側へ押して閉めると、上側フレーム２０ａおよび下側フレーム２０ｂの係合溝２３の縁部に係止爪５１ａ、５１ｂが当接して引きバネ８１が伸張し、係止爪５１ａ、５１ｂが係合溝２３を超えると引きバネ８１に引かれて係止爪５１ａ、５１ｂが係合溝２３の縁部の裏側に引っかかり、本体部３１は閉まった状態に保持される。
【００６０】
このように、対を成す上下の係止部８０ａ、８０ｂの操作子５５ａ、５５ｂを互いの中央に向けて操作するだけで本体部３１を開くことができるので、本体部３１の開放作業が容易になり、紙幣搬送路での紙幣詰まりに対して迅速な対応が可能になる。
【００６１】
以上、本発明の各種実施の形態を図面によって説明してきたが、具体的な構成は実施の形態に示したものに限られるものではなく、本発明の要旨を逸脱しない範囲における変更や追加があっても本発明に含まれる。
【００６２】
また、係止部５０、７０、８０の形状は実施の形態で例示したものに限定されない。一対の操作子５５ａ、５５ｂを中央に寄せることで係止爪５１ａ、５１ｂの係止が解除されるように構成されれば、任意の形状でかまわない。
【００６３】
また、表裏面に遊技媒体貸機４を有する遊技機島２を例示したが、一方の面のみに遊技媒体貸機４や遊技機３が配設される遊技機島に対しても本発明の紙幣搬送装置１０は適用可能である。
【００６４】
このほか実施の形態では、パチンコ機の設置された遊技機島２を例示したが、遊技機の種類はこれに限定されず、スロットマシーンなどでもかまわない。
【図面の簡単な説明】
【００６５】
【図１】本発明の実施の形態に係る紙幣搬送装置の設置された遊技機島の内部構造を示す正面図である。
【図２】本発明の実施の形態に係る紙幣搬送装置とその関連機器の遊技機島内での配置状態を示す上面図である。
【図３】本発明の実施の形態に係る紙幣搬送装置の設置された遊技機島の内部構造を図１のＡ−Ａ´断面にて示す断面図である。
【図４】本発明の実施の形態に係る紙幣搬送装置の搬送ベルトの架設状態を示す説明図である。
【図５】通路部ユニットの内部構造を図４のＢ−Ｂ´断面にて示す断面図である。
【図６】連結された搬送ユニットを示す正面図である。
【図７】折れ曲がった状態の搬送ユニットを示す斜視図である。
【図８】第１の実施の形態に係る係止部を示す６面図である。
【図９】第１の実施の形態に係る係止部の斜視図である。
【図１０】第１の実施の形態に係る係止部の動作を示す説明図である。
【図１１】第１の実施に形態に係る搬送ユニット本体部の係止部側の端部を表面側から見た斜視図である。
【図１２】第１の実施に形態に係る搬送ユニット本体部の係止部側の端部を裏面側から見た斜視図である。
【図１３】搬送プーリの溝と搬送ベルトとの間に圧接されて紙幣が搬送される状態の一例を示す説明図である。
【図１４】本体部を開いた状態の搬送ユニットを示す上面図である。
【図１５】第２の実施の形態に係る係止部の動作を示す説明図である。
【図１６】第３の実施の形態に係る係止部の動作を示す説明図である。
【図１７】搬送ユニットの裏面図である。
【図１８】基部の側面図である。
【符号の説明】
【００６６】
２…遊技機島
３…遊技機
４…遊技媒体貸機
４ａ…紙幣投入口
４ｂ…硬貨投入口
５…紙幣収納装置
６…硬貨収納装置
７…硬貨搬送装置
１０…紙幣搬送装置
１１…駆動プーリ
１２…従動プーリ
１３…搬送ベルト
１３ａ…搬送方向に移動する搬送ベルト
１４…駆動部
２０ａ…上側フレーム
２０ｂ…下側フレーム
２１…第１フレーム
２２…第２フレーム
２３…係合溝
２４…仕切板
３０…搬送ユニット
３１…本体部
３２…ヒンジ
３３…基部
３４…突出部
３４ａ…スリット
３５…受入部
３５ａ…陥没部
３５ｂ…リブ
３７…ラッチ
３８…穴部
４１…搬送プーリ
４２…穴部
４３…ブラケット
４４…回転軸
４６…溝
５０、５０ａ、５０ｂ…係止部
５１、５１ａ、５１ｂ…係止爪
５２…基端部
５８…螺子穴
５３…弾性腕部
５７…屈曲部
５４…支持腕
５５、５５ａ、５５ｂ…操作子
５６…螺子
７０，７０ａ、７０ｂ…係止部
７１…第１腕部
７２…第２腕部
７３…押しバネ
８０、８０ａ、８０ｂ…係止部
８１…引きバネ
８２…バネ支持腕
８３…腕部
Ｇ…通路部ユニット
Ｋ…紙幣
Ｍ…搬送方向
【図１】
0005067795.tif 000002
【図２】
0005067795.tif 000003
【図３】
0005067795.tif 000004
【図４】
0005067795.tif 000005
【図５】
0005067795.tif 000006
【図６】
0005067795.tif 000007
【図７】
0005067795.tif 000008
【図８】
0005067795.tif 000009
【図９】
0005067795.tif 000010
【図１０】
0005067795.tif 000011
【図１１】
0005067795.tif 000012
【図１２】
0005067795.tif 000013
【図１３】
0005067795.tif 000014
【図１４】
0005067795.tif 000015
【図１５】
0005067795.tif 000016
【図１６】
0005067795.tif 000017
【図１７】
0005067795.tif 000018
【図１８】
0005067795.tif 000019